(57)【要約】【課題】  画素の非開口部を覆う遮光膜を活用して視認性を大幅に改善できると共に、紙印刷物等のような優れた視認性を確保することができる新規な電気光学装置の提供。【解決手段】開口部と非開口部とを有する画素を配列した表示パネルを備えた電気光学装置において、前記非開口部を覆うように前記表示パネルの出光側に遮光膜を備えると共に、前記遮光膜を光拡散性の材料で形成する。これによって表示パネル表面を紙のような質感を持たせることができ、紙印刷物のような優れた視認性を発揮することができる。【選択図】        図１
2005122101.tif 000002
【特許請求の範囲】
【請求項１】
開口部と非開口部とを有する画素を配列した表示パネルを備えた電気光学装置であって、前記非開口部を覆うように前記表示パネルの出光側に遮光膜を備えると共に、前記遮光膜が表示の目的に応じて最適化されていることを特徴とする電気光学装置。
【請求項２】
請求項１に記載の電気光学装置において、前記遮光膜が前記表示パネルの最表面に形成されていることを特徴とする電気光学装置。
【請求項３】
請求項１に記載の電気光学装置において、前記表示パネルの最表面に偏光板を備えると共に、その偏光板上に前記遮光膜が形成されていることを特徴とする電気光学装置。
【請求項４】
請求項１〜３のいずれか１項に記載の電気光学装置において、前記開口部の形状が前記遮光膜によって円形に形成されていることを特徴とする電気光学装置。
【請求項５】
請求項１〜４のいずれか１項に記載の電気光学装置において、前記遮光膜が光拡散性を有することを特徴とする電気光学装置。
【請求項６】
請求項１〜４のいずれか１項に記載の電気光学装置において、前記遮光膜が白色度６０〜８０％であることを特徴とする電気光学装置。
【請求項７】
請求項６に記載の電気光学装置において、前記遮光膜の白色度が前記開口部とその遮光膜の面積比に応じて増減していることを特徴とする電気光学装置。
【請求項８】
請求項１〜７のいずれか１項に記載の電気光学装置において、前記遮光膜がマイクロ液体プロセス技術によって形成されていることを特徴とする電気光学装置。
【請求項９】
請求項１〜８のいずれか１項に記載の電気光学装置において、前記開口部の表示は前記遮光膜の色に合わせて処理されることを特徴とする電気光学装置。
【請求項１０】
請求項１〜８のいずれか１項に記載の電気光学装置において、前記開口部の表示は前記遮光膜の色と環境光に合わせて処理されることを特徴とする電気光学装置。
【請求項１１】
請求項１〜１０のいずれか１項に記載の電気光学装置において、前記開口部のヘイズ値が、３０％以下であることを特徴とする電気光学装置。
【請求項１２】
請求項１〜１０のいずれか１項に記載の電気光学装置において、前記開口部のヘイズ値が３０％以下、かつ前記非開口部のヘイズ値が５０％以上であることを特徴とする電気光学装置。
【発明の詳細な説明】
【技術分野】
【０００１】
本発明は、ＬＣＤ（液晶ディスプレイ）の他、ＯＬＥＤ（有機エレクトロルミネッセンスディスプレイ）、ＥＰＤ（電気泳動ディスプレイ）、ＰＤＰ（プラズマディスプレイ）等の電気光学装置に関するものである。
【背景技術】
【０００２】
係る電気光学装置は、薄型で軽量、少消費電力、大画面化が容易等といった特性を有していることから、従来のＣＲＴ（cathode-ray tube）に代わる電子表示装置として各方面で急速にその需要が伸びている。
この電気光学装置は、例えば液晶やガス等の光制御材料をセル内に充填した画素を多数平面状に配列させ、これら各画素の光制御材料を電気的に駆動してこれを透過する光量を制御することにより、映像や文字等の所望の表示を行うようになっている。
【０００３】
このような構成をした従来の電気光学装置にあっては、光が制御される部分、すなわち直接表示に寄与する部分である開口部と、光が制御されない部分、すなわち直接表示には寄与しない非開口部とが各画素毎に存在しているのが一般的である。例えば、ＬＣＤ（液晶ディスプレイ）等にあっては各画素の中央部分あたりが光を制御する開口部として機能し、ＴＦＴ（thin film transistor）等の素子が配置される部分や画素間の境界部分が光が制御されない非開口部となっている。
【０００４】
そして、このような構成をした従来のＬＣＤにあっては、ＴＦＴ等の素子を光から保護すると共に黒のしまりを良くしてコントラストの高い表示を行う等のために、その非開口部がブラックマトリクス（ＢＭ）と称される、金属薄膜や黒色顔料等からなる黒色の遮光膜で覆われているのが一般的である。
ところで、最近のパソコン（ＰＣ）等で使用される液晶ディスプレイにあっては、その背景色が従来の黒基調に代わって白基調のものが主流となってきているが、前記のようにその非開口部を覆うための遮光膜として、ブラックマトリクスのような黒色の遮光膜を用いていると、その黒色の遮光膜が白色の背景部分に格子状に目立って視認性を悪化させるといった問題点がある。
【０００５】
そのため、従来では、例えば以下の特許文献１や２等に示すように、白基調の背景色の液晶ディスプレイの場合には、その画素間（非開口部）に設けられる遮光膜として、従来の黒色のものに代わって白色系のものを用いることで白基調の背景色の液晶ディスプレイの視認性を向上させるような方法が提案されている。
【特許文献１】特開平１１−２７１７５５号公報
【特許文献２】特開２００２−２２９０４６号公報
【発明の開示】
【発明が解決しようとする課題】
【０００６】
しかしながら、このように遮光膜として黒色のものに代わって白色系のものを用いるようにする方法は、あくまでその遮光膜自体を目立たなくするものであり、また、この遮光膜は、透明電極やカラーフィルタ等の内側に配置されているため、その遮光膜を用いてディスプレイの視認性を向上させることはできない。
一方、前述したようなＬＣＤ等の電子表示装置にあっては、その画素の高精細化や製造技術の改良等によりその視認性は年々向上してきているが、紙媒体上に実際に画像や文字等が印刷された紙印刷物のような優れた視認性を発揮するまでには至っていないのが現状である。
【０００７】
そこで、本発明はこのような課題を有効に解決するために案出されたものであり、その主な目的の一つは、画素の非開口部を覆う遮光膜を活用して視認性を大幅に改善できる新規な電気光学装置を提供するものである。
また、本発明の他の主な目的の一つは、紙印刷物等のような優れた視認性を確保することができる新規な電気光学装置を提供するものである。
【課題を解決するための手段】
【０００８】
〔発明１〕前記課題を解決するために発明１の電気光学装置は、
開口部と非開口部とを有する画素を配列した表示パネルを備えた電気光学装置であって、前記非開口部を覆うように前記表示パネルの出光側に遮光膜を備えると共に、前記遮光膜が表示の目的に応じて最適化されていることを特徴とするものである。
このように前記表示パネルの出光側に遮光膜を備えると共に、その遮光膜が表示の目的に応じて最適化、例えば、紙のような質感を付与すれば前記表示パネルの表示面があたかも紙媒体上に文字や画像を印刷した実際の印刷物のような優れた視認性を発揮することができる。
【０００９】
すなわち、本発明は、ＬＣＤ等の開口部と非開口部とを有する多数の画素からなる電気光学装置において、従来、表示機能には殆ど寄与していない非開口部の遮光膜を、より目立つように表示パネルの出光側に設けて表示に活用したものであり、これによって後述するように表示の質感や表示色等を従来よりも大幅に向上させることが可能となる。
【００１０】
〔発明２〕また、発明２の電気光学装置は、
発明１に記載の電気光学装置において、前記遮光膜が前記表示パネルの最表面に形成されていることを特徴とするものである。
これによって遮光膜が直接視認されるようになるため、質感の向上や着色等といったその遮光膜による画質向上効果をより顕著に発揮することができる。
【００１１】
〔発明３〕また、発明３の電気光学装置は、
発明１又は２に記載の電気光学装置において、前記表示パネルの最表面に偏光板を備えると共に、その偏光板上に前記遮光膜が形成されていることを特徴とするものである。
これによって、発明１及び２のような効果に加え、一般的な表示パネルのパネルモジュールの最後に付けられる偏光板上に遮光膜を形成することによってその遮光膜を容易に形成することができる。
【００１２】
〔発明４〕また、発明４の電気光学装置は、
発明１〜３のいずれかに記載の電気光学装置において、前記開口部の形状が前記遮光膜によって円形に形成されていることを特徴とするものである。
これによって、発明１〜３のような効果に加え、前記開口部の形状を円形に形成することによって線分の方向等に応じた偽構造などが発生せず、良質な表示を行うことができる。
【００１３】
〔発明５〕また、発明５の電気光学装置は、
発明１〜４のいずれかに記載の電気光学装置において、前記遮光膜が光拡散性を有することを特徴とするものである。
すなわち、この遮光膜は外光による反射モードでみることになるため、光拡散性を付与することによってその遮光膜表面にあたった外光が拡散して白色を呈することになるため、紙媒体のような見やすい表示を発揮することができる。
【００１４】
〔発明６〕また、発明６の電気光学装置は、
発明１〜４のいずれかに記載の電気光学装置において、前記遮光膜が白色度６０〜８０％であることを特徴とするものである。
これによって、その遮光膜表面が通常の白色の印刷用紙のような白さとなるため、より見やすい表示を発揮することができる。
【００１５】
〔発明７〕また、発明７の電気光学装置は、
発明６に記載の電気光学装置において、前記遮光膜の白色度が前記開口部とその遮光膜の面積比に応じて増減していることを特徴とするものである。
すなわち、通常の遮光膜と開口部との面積比（おおよそ１０：９０）では発明６のようにその遮光膜の白色度を６０〜８０％とすれば、通常の白色の印刷用紙のような白さを得ることができるが、例えば開口部の面積比率がこれより小さすぎると、その遮光膜の白色度が６０〜８０％であっても通常の白色の印刷用紙のような白さが得られない。
そのため、本発明のように例えば開口部の面積比率が通常よりも小さい場合には、その白色度をさらに上げることによって開口部の面積比率が通常よりも小さくても通常の白色の印刷用紙のような白さを得ることができる。
【００１６】
〔発明８〕また、発明８の電気光学装置は、
発明１〜７のいずれかに記載の電気光学装置において、前記遮光膜がマイクロ液体プロセス技術によって形成されていることを特徴とするものである。
すなわち、このマイクロ液体プロセス技術とは、インクジェットプリンタ等で利用されている高精細な液滴吐出印刷技術であり、このようなマイクロ液体プロセス技術を用いることによってＬＣＤ画素のような極微細な画素の非開口部に対しても位置ずれを起こすことなく正確に遮光膜を形成することができる。
【００１７】
〔発明９〕また、発明９の電気光学装置は、
発明１〜８のいずれかに記載の電気光学装置において、前記開口部の表示は前記遮光膜の色に合わせて処理されることを特徴とするものである。
すなわち、前記した発明では遮光膜（非開口部）の割合が通常よりも大きく、さらに色が付いているため、なにも色処理を行わずに開口部に表示を行うと、その遮光膜の色に引っ張られて全体としての表示色がシフトしてしまう可能性がある。
そのため、本発明では例えば、カラーフィルタなどのハード的な処理、あるいは画像処理的な補正による処理によって遮光膜の色に合わせて開口部の表示を変えることで開口部の表示色のシフトを回避することができる。
【００１８】
〔発明１０〕  発明１０の電気光学装置は、
発明１〜８のいずれかに記載の電気光学装置において、前記開口部の表示は前記遮光膜の色と環境光に合わせて処理されることを特徴とするものである。
すなわち、発明９の説明のように、開口部の表示は遮光膜の色によってシフトしてしまうことが考えられる他、環境光（外光）によっても変わることがあるため、本発明はさらに環境光も考慮して補正を行うようにしたものである。
【００１９】
例えば、遮光膜（非開口部）の拡散性が高いと環境光によって非開口部の色や輝度が変化してしまうため、現在の環境光がどのような色温度でどのような照度なのかをセンサーで検出し、その検出した環境光によって遮光膜がどのような色になっているのかを予測し、予測した色の影響を緩和するように開口部の表示を画像処理などによって補正する。
これによって、遮光膜の色のみならず、環境光（外光）による開口部の表示色のシフトを的確に回避することができる。
【００２０】
〔発明１１〕  発明１１の電気光学装置は、
発明１〜１０のいずれかに記載の電気光学装置において、前記開口部のヘイズ値が、３０％以下であることを特徴とするものである。
【００２１】
これによって、開口部の拡散性が低くなるため、開口部を通過する透過光の拡散現象が殆どみられない、きれいな表示を行うことができる。
なお、ここで前記開口部のヘイズ値を３０％以下と規定したのは、そのヘイズ値が３０％を超えると、通常のユーザの肉眼によって拡散現象の発生が確認できるためであり、そのヘイズ値が１０％以下であれば、通常のユーザの肉眼によって拡散現象の発生が認められなくなるからである。望ましくは、このヘイズ値は、１０％以下である。また、このように開口部のヘイズ値を３０％以下とすることは、その開口部を拡散性の低い材料で構成することによって比較的容易に実現することができる。
【００２２】
〔発明１２〕  発明１２の電気光学装置は、
発明１〜１０のいずれかに記載の電気光学装置において、前記開口部のヘイズ値が３０％以下、かつ前記非開口部のヘイズ値が５０％以上であることを特徴とするものである。
これによって、発明１１と同様に開口部を通過する透過光の拡散現象が殆どみられない、きれいな表示を行うことができると共に、非開口部のヘイズ値を５０％以上としたことから、パネル表面の拡散性が高くなって画面全体としては、写り込みが少ない表示を実現することができる。
【００２３】
なお、ここで、前記開口部のヘイズ値を３０％以下（望ましくは１０％以下）と規定したのは、発明１１と同様な理由であり、また、非開口部のヘイズ値を５０％以上と規定したのは、その値が５０％未満では、十分な光拡散性が得られず、明確な写り込み現象が発生してしまうからであり、望ましくは８０％以上である。
【発明を実施するための最良の形態】
【００２４】
以下、本発明を実施するための最良の形態を添付図面を参照しながら詳述する。
図１は、本発明に係る電気光学装置のうち、光源としてＬＥＤのバックライトを用いた透過型カラーＬＣＤの表示パネルの画素単位の実施の一形態を示す断面図、図２はその平面図である。
図において、Ｐは表示パネルを構成する各画素（ｐｉｘｅｌ）を示したものであり、この画素Ｐは、液晶層１８を基準としてその下側に下側配向膜１６，透明画素電極１４，下側ガラス基板１２，下側偏光層１０を、また、その液晶層１８の上側に，上側配向膜２０、透明ベタ電極２２，上側ガラス基板２４，上側偏光層２６を順次積層したものであり、その背面側に設けられたＬＥＤからなるバックライトから一定時間毎にＲＧＢ各色の光を投射し、その光が各層１０，１２，１４，１６，１８，２０，２２，２４，２６を経て表面から外部に出光するようになっている。
【００２５】
また、この画素Ｐ上（出光側）には、各画素Ｐの非開口部、すなわち、各画素周辺の光の透過に影響を与えない部分を覆うように遮光膜Ｓが備えられている。
図２は、その表示パネルの画素Ｐの配列及び形状を示したものであり、図中斜線の円は開口部を、図中網点の部分は遮光性を持つ非開口部を示したものである。また、図中点線は画素マトリクスを示しており、各画素Ｐの制御はこの画素マトリクス単位で行われるようになっている。
【００２６】
ここで、開口部の円は画素電極等が円になっているわけではなく、遮光性の非開口部、すなわち、遮光膜Ｓをこのように作ることによって実現しており、画素電極等の構造は一般的な長方形の構造となっている。
このように各画素Ｐの開口部の形として円を使用すれば、線分方向に起因にした偽構造等が生じずきれいで見やすい表示ができ、また、各画素Ｐ間に必然的に非開口部が生ずるため、本発明のように非開口部を有効に使う場合には円形の開口部は有効である。
【００２７】
また、正方形の開口部を考えた場合にも、四隅はもともと電極等が存在していたり配向ムラがあったりと、画質的には問題があるため、このような円形の開口部でも実質開口率としてはあまり変わらず、開口面積が減ったことによる画質への影響は少ないと考えられる。
そして、本発明にあっては、このように画素Ｐの表面側に遮光膜Ｓを備えるだけでなく、この遮光膜Ｓを表示の目的に応じて最適化したものである。
【００２８】
具体的には、この遮光膜Ｓを光拡散性の高い材料（白色材料）によって形成すれば、表示パネルの最表面に光拡散性が高い白色の表面が存在することになり、これによって表示パネル表面が本物の紙のような質感となり、より見やすい表示を得ることができる。
なお、光拡散性の高い材料としては、例えば、シリカや雲母、チタニア等の拡散材料を用いることができ、これを分散させた分散液を用いて公知のマイクロ液体プロセスや印刷技術によって表示パネル表面に塗布、印刷することで容易に得ることが可能となる。
【００２９】
また、この場合、遮光膜Ｓにはどの程度の光拡散性を持たせるかに関しては、特に限定されるものではないが、紙の白さを表現する指標として白色度という数値を用いた場合、一般的な紙においてはこの白色度は「６０〜８０％」程度であるため、この範囲になるように前記拡散材料を設定することが望ましい。
そして、例えば、少し落ち着いた「白」にしたい場合には白色度を「６０％」とし、明るいイメージの「白」にしたいときには白色度を「８０％」というように、ユーザに与える印象をこの白色度で制御することも可能である。
【００３０】
また、非開口部の面積比率が開口部と比較して小さい場合、例えば、開口部の面積に対して「１０％」以下の場合には、白色度を「８０％」にしても「白」という印象を与えることができなくなる可能性があるため、その場合にはその白色度をさらに「１０〜２０％」程度上げるようにしても良い。
また、このように遮光膜Ｓの表面を白色にする場合、必ずしもその全面を白色にする必要はなく、例えば、図３に示すように遮光膜Ｓ上に円形の白色膜Ｗを形成しても上記と同様に本物の紙のような見やすく上等な質感を発揮することが可能となる。
【００３１】
なお、このように部分的に光拡散材料を塗布する場合にはインクジェットプリンタ技術を用いたマイクロ液体プロセス（液滴吐出技術）を用いることによって容易にかつ高精度に形成可能であり、また、このように部分的に形成することで材料の無駄を省き、コストの削減及び環境への負荷を減らすことができる。
また、開口部には、非開口部とは逆に透過率の高い（拡散性の低い）状態を作ることにより、明確な表示ができるだけでなく、透過光が拡散して白ボケすることがなくなるため、彩度が高いクリアな表示を行うことが可能となる。
【００３２】
この場合、鏡面反射率が上がり、画面への映り込みが多くなってしまうという弊害もあるが、本実施の形態の場合では、非開口部は光拡散性が高くなっているため、画面の映り込みが殆ど無いことから、開口部はクリアな表示でも映り込みが少ないきれいな表示を得ることができる。ここで、光拡散性はヘイズ値で表現することが可能であり、開口部のヘイズ値は３０％以下、非開口部のヘイズ値は５０％以上とすれば、このような効果を顕著に発揮することができる。
【００３３】
なお、このような構成をした透過型カラーＬＣＤは、フィールドシーケンシャル駆動によって単一の画素（ピクセル）Ｐでカラーを表現でき、一般的なＬＣＤに多く用いられているＲＧＢサブ画素のようにＲＧＢサブ画素の配置に起因する偽色等の画質劣化を避けることができるようになっている。
次に、図４及び図５は、一般的なカラーフィルタを用いたＲＢＧサブピクセルを持つ透過型カラーＬＣＤに関して本発明を適用したものである。
【００３４】
図４は、その画素配列及び形状を示したものであり、図中斜線の長方形は開口部を、また、図中網点の部分は遮光性を持つ非開口部を示している。
そして、透過型カラーＬＣＤの表示パネルＰと前記の表示パネルＰとの構造上の大きな違いは、図５に示すように、遮光膜Ｓが上側偏光層２６の下部に位置し、その開口部にＲＧＢ各カラーフィルタＦが設けられている点である。
【００３５】
そして、この表示パネルＰの背面側には一般的な白色の冷陰極管からなるバックライトが設けられており、そのバックライトの光が各層１０，１２，１４，１６，１８，２０，２２，２４，２６及びカラーフィルタＦを通過してその開口部から外部に出光することでカラー表示が行われるようになっている。
また、このようなカラーフィルタＦと遮光膜Ｓとを一つの層として形成することにより、確実な遮光及び色の生成を行うことができ、画質の向上を図ることができる。
【００３６】
また、カラーフィルタＦと遮光膜Ｓとを一体化することにより、少々ずれていても見た目の影響は少なく、製造精度に左右されずに高画質を保つことができる。
なお、本実施の形態の場合、非開口部となる遮光膜Ｓ表面が外光を反射して白色の光を常に発しているため、そのことを考慮してカラー表示を行う必要がある。さらに、反射光の場合は、外光によって反射光の色温度や輝度が変化するため、何らかの外光センサーを設けてそのセンサーによって検出した外光の情報を基に調整してカラー表示を行うことにより、外光によらず高画質な表示を行うことができる。また、このカラーフィルタＦと遮光膜Ｓとの貼り合わせは一般的に行われているアライメントマークを用いた位置合わせによって精度良く行うことが可能である。
【００３７】
また、この遮光膜ＳとカラーフィルタＦは、図１のようにその最表面に設けても良いが、本実施の形態のように偏光層２６の下側に設ければ、多少の質感の低下が発生するものの、ユーザ等が遮光膜Ｓに直接触れることがなくなるため、その遮光膜Ｓの汚れや損傷・摩耗を確実に回避することが可能となる。  
次に、図６は、反射型のモノクロＬＣＤに関して本発明を適用したものである。
【００３８】
図示するように、この反射型のモノクロＬＣＤは、下側基板３０をベースとしてその上に反射画素電極３２と、下側配向膜１６と、液晶層１８と、上側配向膜２０と、透明ベタ電極２２と、上側ガラス基板２４と、偏光層２６とが順次積層された構造となっており、図示矢印に示す如く外部（偏光層２４側）から入射した光（外光）が各層２６，２４，２２，２０，１８，１６を通過して反射画素電極３２で反射してから再び各層１６，１８，２０，２２，２４，２６を通過してその開口部から反射光として出光するようになっている。
【００３９】
このように反射型のモノクロＬＣＤの場合では前記のようなバックライト式のＬＣＤに比べて黒も白もその開口部から出る反射光を用いて表現するようになっているため、「白」表示が非常に暗く、また各層１６，１８，２０，２２，２４，２６を通るために不自然な光となってしまう。
そのため、このような反射型のモノクロＬＣＤの場合でもその表面に遮光膜Ｓを設け、その表面を拡散性の高い白色の材料で形成すれば、本物の紙に近い白色度を発揮することができ、自然な見やすい「白」表示を行うことができる。この結果、特に文書等を表示する場合には見やすく疲れ難い表示を実現することができる。
【００４０】
なお、画素配列は、図２に示したように、円形の開口部を持つものであっても良いが、勿論これに限定されるものでなく、図７に示すように正方形（矩形）の開口部を持つものであっても良い。
また、本実施の形態では電気光学装置としてＬＣＤの例で示したが、本発明はこれに限定されず、他のあらゆるディスプレイ装置、例えば従来から多用されているＣＲＴ（cathode-ray tube）の他、次世代の表示用モニタとして注目されているエレクトロルミネッセンス装置、特に有機エレクトロルミネッセンス装置、無機エレクトロルミネッセンス装置等や、プラズマディスプレイ装置、ＬＥＤ（発光ダイオード）表示装置、電気泳動ディスプレイ装置、薄型のブラウン管、液晶シャッター等を用いた小型テレビ、デジタルマイクロミラーデバイス（ＤＭＤ）を用いた装置、ＦＥＤ（Field Emission Display）やＳＥＤ（Surface-Conduction Electron-Emitter Display）等にも適用することができる。
【図面の簡単な説明】
【００４１】
【図１】透過型カラーＬＣＤの実施の一形態を示す断面図である。
【図２】画素配列の一例を示す拡大平面図である。
【図３】画素配列の一例を示す拡大平面図である。
【図４】画素配列の一例を示す拡大平面図である。
【図５】透過型カラーＬＣＤの実施の一形態を示す断面図である。
【図６】反射型モノクロＬＣＤの実施の一形態を示す断面図である。
【図７】画素配列の一例を示す拡大平面図である。
【符号の説明】
【００４２】
１０…下側偏光層、１２…下側ガラス基板、１４…透明画素電極、１６…下側配向膜、１８…液晶層、２０…上側配向膜、２２…透明ベタ電極、２４…上側ガラス基板、２６…上側偏光層、３０…下側基板、３２…反射画素電極、Ｆ…カラーフィルタ、Ｐ…画素、Ｓ…遮光膜、Ｗ…白色膜。
【図１】
2005122101.tif 000003
【図２】
2005122101.tif 000004
【図３】
2005122101.tif 000005
【図４】
2005122101.tif 000006
【図５】
2005122101.tif 000007
【図６】
2005122101.tif 000008
【図７】
2005122101.tif 000009